(57)【要約】【課題】トナーの帯電状態に応じて、画像形成に先立って現像駆動部の駆動時間を制御することで、無駄な駆動を無くし、トナーの劣化を防止する画像形成装置を提供する。【解決手段】画像形成装置１は、トナーを帯電させ、該トナーを用いて感光体ドラム１１に形成された潜像を現像する現像器１４と、最後に画像を形成した第１の時刻を記憶する記憶部５３と、この第１の時刻からの経過時間Ｔｂと、最後に画像形成したときの現像器１４の駆動時間Ｔａとに基づいて、現像処理に先だって、現像エージング時間Ｔｃを変える制御部５２とを備える。【選択図】図２
2010128190.tif 000002
【特許請求の範囲】
【請求項１】
用紙に画像を形成する電子写真方式の画像形成装置において、
現像剤を帯電させ、該現像剤を用いて感光体に形成された潜像を現像する現像器と、
最後に画像を形成した第１の時刻を記憶する記憶部と、
前記第１の時刻からの経過時間と、最後に画像形成した状態とに基づいて、現像処理に先だって、帯電処理する時間を変える制御部とを備えることを特徴とする画像形成装置。
【請求項２】
前記制御部は、前記第１の時刻からの経過時間と、最後に画像形成したときの出力枚数とに基づいて、帯電処理する時間を変えることを特徴とする請求項１に記載の画像形成装置。
【請求項３】
前記制御部は、前記第１の時刻からの経過時間と、最後に画像形成したときの前記現像器の駆動時間とに基づいて、帯電処理する時間を変えることを特徴とする請求項１に記載の画像形成装置。
【発明の詳細な説明】
【技術分野】
【０００１】
本発明は、電子写真方式を利用した複写機、プリンタ、ファクシミリ、それらの複合機等の画像形成装置に関するものである。
【背景技術】
【０００２】
従来から電子写真方式を用いた画像形成装置では、原稿の画像データに基づいてレーザ光が感光体に照射されると、感光体上に静電潜像が形成され、感光体上に形成された静電潜像を現像器により現像することを行っている。そして現像に先だって現像ローラ等の現像駆動部を駆動させて、現像剤を帯電させている。一般に現像駆動部は定着器や感光体の駆動と連動しているので、駆動時間が長く設定されている。また近年、省エネルギー対応のため、省電力モードやスリープ状態で装置の電源がオフになる頻度が高くなっている。省電力モードやスリープ状態から装置の電源をオンする度に、現像駆動部が駆動され、現像剤を頻繁に帯電させることになり、現像剤が劣化して、濃度低下や画像カブリ等の不具合が発生するおそれがある。また、現像剤の帯電量は、現像駆動部の駆動停止時間に応じて、現像剤の帯電量が低下していく。装置の停止時間が短ければ、現像剤の帯電量が余り変化しないが、長期間、現像駆動部が駆動停止した後には、現像剤の帯電量が大きく低下して、安定した画像が得られなくなる。
【０００３】
そこで、特許文献１では、最後に画像形成処理（現像処理）を実行した第１の時刻を時計により計時する。再び画像形成処理を開始する際に、第１の時刻と現在の時刻との差である駆動停止時間を算出する。この駆動停止時間が所定値以上の場合には、駆動停止時間に基づいて決定される所定の時間だけ、現像駆動部によって、現像スリーブ及び現像剤供給ローラ等の現像ユニットを予め駆動させ、その後画像形成処理を行う。このようにして、駆動停止中に低下した現像剤の帯電量を回復させている。
【０００４】
しかしながら、上述した従来技術では、駆動停止時間に基づいて、現像駆動部の駆動時間を変えているが、最後の画像形成処理（現像処理）の画像形成の状態、例えば、画像形成の出力枚数や、現像処理に要した時間等によっても、現像剤の帯電量が変化しているので、駆動停止時間だけに基づいて現像剤の帯電量を補正しても、次の画像形成時に安定した現像剤の帯電が得られず、濃度低下や画像カブリ等の不具合が発生するという不都合があった。
【特許文献１】特開２００１−１４７６３０号公報（段落［００４８］、図１）
【発明の開示】
【発明が解決しようとする課題】
【０００５】
本発明は、上記のような課題を解決するためになされたものであり、現像剤の帯電状態に応じて、画像形成に先立って現像駆動部の駆動時間を制御することで、無駄な駆動を無くし、現像剤の劣化を防止する画像形成装置を提供することを目的とする。
【課題を解決するための手段】
【０００６】
上記目的を達成するために本発明は、用紙に画像を形成する電子写真方式の画像形成装置において、現像剤を帯電させ、該現像剤を用いて感光体に形成された潜像を現像する現像器と、最後に画像を形成した第１の時刻を記憶する記憶部と、前記第１の時刻からの経過時間と、最後に画像形成した状態とに基づいて、現像処理に先だって、帯電処理する時間を変える制御部とを備えることを特徴としている。
【０００７】
この構成によれば、第１の時刻からの経過時間が長くなると、現像剤の帯電量が低下していくが、最後に画像形成した状態に応じて、第１の時刻における現像剤の帯電量が異なるので、第１の時刻からの経過時間が同じであっても、現像剤の帯電量が低下する度合いは異なる。この低下の度合いに基づいて、現像処理に先だって、帯電処理する時間を補正することによって、最後に画像形成した状態と経過時間に関わらず、常に適切な現像剤帯電量になる。
【０００８】
また、請求項２に記載の発明では、前記制御部は、前記第１の時刻からの経過時間と、最後に画像形成したときの出力枚数とに基づいて、帯電処理する時間を変えることを特徴としている。この構成によれば、最後に画像形成したときの出力枚数に応じて、第１の時刻における現像剤の帯電量が異なるので、第１の時刻からの経過時間が同じであっても、現像剤の帯電量が低下する度合いは異なる。この低下の度合いに基づいて、現像処理に先だって、帯電処理する時間を補正することによって、最後に画像形成した状態と経過時間に関わらず、常に適切な現像剤帯電量なる。
【０００９】
また、請求項３に記載の発明では、前記制御部は、前記第１の時刻からの経過時間と、最後に画像形成したときの前記現像器の駆動時間とに基づいて、帯電処理する時間を変えることを特徴としている。この構成によれば、最後に画像形成したときの現像器の駆動時間に応じて、第１の時刻における現像剤の帯電量が異なるので、第１の時刻からの経過時間が同じであっても、現像剤の帯電量が低下する度合いは異なる。この低下の度合いに基づいて、現像処理に先だって、帯電処理する時間を補正することによって、最後に画像形成した状態と経過時間に関わらず、常に適切な現像剤帯電量になる。
【発明の効果】
【００１０】
請求項１に記載の発明によれば、第１の時刻からの経過時間が長くなると、現像剤の帯電量が低下していくが、最後に画像形成した状態に応じて、第１の時刻における現像剤の帯電量が異なるので、第１の時刻からの経過時間が同じであっても、現像剤の帯電量が低下する度合いは異なる。この低下の度合いに基づいて、現像処理に先だって、帯電処理する時間を補正することによって、最後に画像形成した状態と経過時間に関わらず、常に適切な現像剤帯電量になるので、現像剤の劣化を防止することができ、また現像器の無駄な駆動を無くすことができる。
【００１１】
また、請求項２に記載の発明によれば、最後に画像形成したときの出力枚数に応じて、第１の時刻における現像剤の帯電量が異なるので、第１の時刻からの経過時間が同じであっても、現像剤の帯電量が低下する度合いは異なる。この低下の度合いに基づいて、現像処理に先だって、帯電処理する時間を補正することによって、最後に画像形成した状態と経過時間に関わらず、常に適切な現像剤帯電量になるので、現像剤の劣化を防止することができ、また現像器の無駄な駆動を無くすことができる。
【００１２】
また、請求項３に記載の発明によれば、最後に画像形成したときの現像器の駆動時間に応じて、第１の時刻における現像剤の帯電量が異なるので、第１の時刻からの経過時間が同じであっても、現像剤の帯電量が低下する度合いは異なる。この低下の度合いに基づいて、現像処理に先だって、帯電処理する時間を補正することによって、最後に画像形成した状態と経過時間に関わらず、常に適切な現像剤帯電量になるので、現像剤の劣化を防止することができ、また現像器の無駄な駆動を無くすことができる。
【発明を実施するための最良の形態】
【００１３】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００１４】
（第１実施形態）
図１は、本発明の実施形態に係る画像形成装置の全体構成を示す概略平面図である。図１に示すように、画像形成装置１は、その下部に配設された給紙部２と、この給紙部２の側方に配設された用紙搬送部３と、この用紙搬送部３の上方に配設された画像形成部４と、この画像形成部４よりも排出側に配設された定着部５と、これらの画像形成部４及び定着部５の上方に配設された画像読取部６を備えている。
【００１５】
給紙部２は、用紙９を収容する複数の給紙カセット７を備えており、給紙ローラ８の回転動作により、複数の給紙カセット７のうち選択された給紙カセット７から用紙９を１枚ずつ確実に用紙搬送部３に送り出す。
【００１６】
用紙搬送部３に送られた用紙９は、用紙供給経路１０を経由して画像形成部４に向けて搬送される。この画像形成部４は、電子写真プロセスによって、用紙９にトナー像を形成するものであり、所定の方向（図中の矢印方向）に回転可能に軸支された感光体ドラム１１と、この感光体ドラム１１の周囲にその回転方向に沿って、帯電部１２、現像器１４、転写部１５、クリーニング部１６、及び除電部１７を備えている。
【００１７】
帯電部１２は、高電圧を印加される帯電ワイヤを備えており、この帯電ワイヤからのコロナ放電によって感光体ドラム１１表面に所定電位を与えると、感光体ドラム１１表面が一様に帯電させられる。そして、画像読取部６によって読み取られた原稿の画像データに基づく光が、露光部１３により感光体ドラム１１に照射されると、感光体ドラム１１の表面電位が選択的に減衰され、感光体ドラム１１表面に静電潜像が形成される。次いで、現像器１４が感光体ドラム１１表面の静電潜像を現像し、感光体ドラム１１表面にトナー像が形成される。このトナー像が転写部１５によって感光体ドラム１１と転写部１５との間に供給された用紙９に転写される。
【００１８】
トナー像が転写された用紙９は、画像形成部４の用紙搬送方向の下流側に配置された定着部５に向けて搬送される。定着部５では、加熱部材１８及び加圧回転体としての加圧ローラ１９によって、用紙９が加熱加圧され、用紙９上にトナー像が溶融定着される。次いで、定着された用紙９は、排出ローラ対２０によって排出トレイ２１上に排出される。転写部１５による転写後、感光体ドラム１１表面に残留しているトナーは、クリーニング部１６により除去され、また感光体ドラム１１表面の残留電荷は、除電部１７により除去される。そして、感光体ドラム１１は帯電部１２によって再び帯電され、以下同様にして画像形成が行われることになる。
【００１９】
次に、現像器について図２に基づいて説明する。図２は本発明の実施形態に係る画像形成装置における現像器と、現像器に関係する構成部材を概略的に示す図である。
【００２０】
図２に示すように、現像器１４は、磁性一成分現像剤を収容するハウジング２２と、現像剤（以下、「トナー」と記すことがある）を撹拌および搬送する撹拌部材２３、２４と、感光体ドラム１１にトナーを搬送するための現像ローラ２６、及び規制部材２８とを備えている。そしてトナータンク３１は現像器１４にトナーを供給する。
【００２１】
撹拌部材２３、２４は、ハウジング２２内の底部に配置され、軸線方向に延びる支軸に設けられたスパイラル状の羽根を備えている。撹拌部材２３、２４が回転すると、トナーは撹拌部材２３、２４の間を循環、混合して、現像ローラ２６に搬送される。
【００２２】
現像ローラ２６は、撹拌部材２４に隣接する位置で、現像ローラ２６に向けて磁界を発生する磁石を内蔵し、ハウジング２２に回転自在に支持される。また、現像ローラ２６は、ハウジング２２の開口から露出し、感光体ドラム１１に一定の間隔を有して対向する。現像ローラ２６と感光体ドラム１１の近接する部分で、現像ローラ２６から感光体ドラム１１にトナーが搬送される。
【００２３】
規制部材２８は、現像ローラ２６表面に担持されるトナーを所定の層厚に規制するものであり、現像ローラ２６の略上方で現像ローラ２６表面と所定間隔を設けて取り付けられる。
【００２４】
さらに、画像形成装置１は、現像ローラ２６を回転駆動するモータ等の現像駆動部５１と、感光体ドラム１１と定着部５のローラとを回転駆動するモータ等のドラム駆動部５５と、現像時に現像ローラ２６にバイアスを印加するバイアス電源５６と、各駆動部５１、５５及びバイアス電源５６の駆動を制御する制御部５２と、制御部５２に接続される時計５４、及び制御部５２に接続される記憶部５３とを備える。
【００２５】
現像ローラ２６内の磁力により、撹拌部材２４から搬送されたトナーが現像ローラ２６表面に担持される。担持されたトナーは、規制部材２８により一定の高さに規制されて、現像駆動部５１による現像ローラ２６の回転により、感光体ドラム１１に向けて搬送される。バイアス電源５６により現像ローラ２６に印加されるバイアスと、感光体ドラム１１表面の電位とに応じて、現像ローラ２６と感光体ドラム１１の近接する部分で、トナーが感光体ドラム１１表面に搬送される。
【００２６】
次に、装置のウオームアップとその後の画像形成の動作を図２〜図４に基づいて説明する。図３は画像形成装置おけるウオームアップのタイムチャートであり、図４は画像形成のタイムチャートである。
【００２７】
図３に示すように、装置のメインＳＷ（電源）オン、またはスリープ状態や省電力モードから出力可能状態に移行すると、ドラム駆動部５５は感光体ドラムと定着ローラを所定時間駆動し、また現像駆動部５１は、後述する制御に従う時間だけ現像ローラ２６を回転駆動し、現像ローラ２６に担持されたトナーを帯電（以下、「現像エージング」と記すことがある）させて、ウオームアップを行う。
【００２８】
図４に示すように、ウオームアップが完了すると、時間Ｔａの期間、現像駆動部５１及びドラム駆動部５５が駆動し、所望の枚数の画像形成がおこなわれる。所望枚数の画像形成を完了すると、現像駆動部５１及びドラム駆動部５５の駆動が停止する。とのとき、現像駆動部５１の駆動停止した第１の時刻を時計５４が計時し、記憶部５３は、制御部５２を介して、この第１の時刻を保持するとともに、時間Ｔａを現像器の駆動時間として保持する。その後、装置の電源がオフになる。
【００２９】
再び画像形成を開始する際に、電源がオンされると、制御部５２において、記憶部５３に記憶した第１の時刻と、今回の電源オンにおける第２の時刻との差Ｔｂを算出する。この第１の時刻からの経過時間Ｔｂと、先に記憶部５３に保持した現像器の駆動時間Ｔａとに基づいて、今回の画像形成に先立つ現像エージング時間Ｔｃを決定する。
【００３０】
現像エージング時間Ｔｃの決定について、図５、図６に基づいて説明する。図５は、第１の時刻からの経過時間Ｔｂ（単位は時）とトナー帯電量（単位はμＣ／ｇ）との関係を示す図であり、図６は、現像エージング時間Ｔｃ（単位は秒）とトナー帯電量（単位はμＣ／ｇ）との関係を示す図である。
【００３１】
図５に示す実線は、現像器の駆動時間Ｔａが比較的長かった場合であり、第１の時刻（図５の経過時間Ｔｂが０時の時）においてトナー帯電量が高く、図５の一点鎖線は、現像器の駆動時間Ｔａが比較的短かった場合であり、第１の時刻においてトナー帯電量が低い。図５の破線は、現像器の駆動時間Ｔａが上記２者の中間にあり、トナー帯電量も上記２者の中間にある。経過時間Ｔｂが長くなるに従い、これら３者はともにトナー帯電量が低下していくが、第１の時刻におけるトナーの帯電状態によって、トナー帯電量が低下する度合いが異なる。このため、例えば、適切な画像形成に必要であるトナー帯電量を２８μＣ／ｇとすると、経過時間Ｔａが６時間であるときには、３者のトナー帯電量は、高いほうから略２９μＣ／ｇ、２６μＣ／ｇ及び２３μＣ／ｇと異なり、第１の時刻からの経過時間Ｔｂだけで適切な帯電量にすることが難しく、先回の現像器の駆動時間Ｔａも含めて、適切なトナー帯電量になるように、現像エージング時間Ｔｃを定める必要がある。
【００３２】
先回の現像器の駆動時間Ｔａと第１の時刻からの経過時間Ｔｂによって、図６に示すように、画像形成前のトナー帯電量（図６の現像エージング時間Ｔｃが０秒の時）は、実線に示す高帯電と、破線に示す中帯電、及び一点鎖線に示す低帯電の場合がある。そして、これらの３者を現像エージングすると、それぞれトナー帯電量が増加していく。この増加量は、画像形成前のトナー帯電量の高低に応じて異なり、適切なトナー帯電量にする現像エージング時間も異なる。例えば、適切なトナー帯電量を２８μＣ／ｇ（図６の線Ｔ）とすると、図６の一点鎖線に示す低帯電トナーを適切なトナー帯電量にするには、略４０秒の現像エージングが必要であり、また、図６の破線に示す中帯電トナーを適切なトナー帯電量にするには、略２０秒の現像エージングが必要であり、さらに図６の実線に示す高帯電トナーでは、現像エージングが不要となる。そこで、現像器の先回の駆動時間Ｔａが短いときには、現像エージング時間を長くし、現像器の先回の駆動時間Ｔａが長いときには、トナー帯電量が高くなっているので、現像エージング時間を短くなるようにする。
【００３３】
そこで、例えば表１に示す経過時間Ｔｂと現像器の駆動時間Ｔａと現像エージング時間Ｔｃとの関係を定める。
【表１】
2010128190.tif 000003
【００３４】
このテーブルでは、経過時間Ｔｂが長くなると、現像エージング時間Ｔｃを長くし、また経過時間Ｔｂが同じであっても、現像器の先回の駆動時間Ｔａが短い場合には、現像エージング時間Ｔｃが長くなるようように定めている。さらに、経過時間Ｔｂが所定時間を超えると、現像器の先回の駆動時間Ｔａに関わらずに、現像エージング時間Ｔｃが一定になるように定めている。このようにして、先回の画像形成した状態や、先回の画像形成からの経過時間に関わらず、低下したトナーの帯電量を回復させている。
【００３５】
このテーブルを、予め記憶部５３に記憶させおく。画像形成に先立って、制御部５２は、記憶部５３に記憶した現像器の先回駆動時間Ｔａと経過時間Ｔｂから、このテーブルに基づいて、現像ローラ２６を現像エージング時間Ｔｃだけ回転駆動させる。これによって、現像エージングが行われる。
【００３６】
上記第１実施形態によれば、画像形成装置１は、トナーを帯電させ、該トナーを用いて感光体ドラム１１に形成された潜像を現像する現像器１４と、最後に画像を形成した第１の時刻を記憶する記憶部５３と、この第１の時刻からの経過時間Ｔｂと、最後に画像形成したときの現像器１４の駆動時間Ｔａ（画像形成した状態）とに基づいて、現像処理に先だって、現像エージング時間（帯電処理する時間）Ｔｃを変える制御部５２とを備える。
【００３７】
この構成によると、最後に画像形成したときの現像器１４の駆動時間Ｔａに応じて、第１の時刻におけるトナー帯電量が異なるので、第１の時刻からの経過時間Ｔｂが同じであっても、トナー帯電量が低下する度合いは異なる。この低下の度合いに基づいて、現像処理に先だって、現像エージング時間（帯電処理する時間）Ｔｃを補正することによって、最後に現像器１４の駆動時間Ｔａ（画像形成した状態）と経過時間Ｔｂに関わらず、常に適切なトナー帯電量になるので、トナーの劣化を防止することができ、また現像器１４の無駄な駆動を無くすことができる。
【００３８】
（第２実施形態）
図７は、本発明の第２実施形態に係る画像形成装置における現像器と、現像器に関係する構成部材を概略的に示す図である。第２実施形態では、最後に画像形成した状態として画像形成の出力枚数を用い、この出力枚数と第１の時刻からの経過時間とに基づいて、現像エージング時間を補正している。以降、第１実施形態と同じ部分の説明を省略する。
【００３９】
画像形成装置１は、現像ローラ２６を回転駆動するモータ等の現像駆動部５１と、感光体ドラム１１と定着部５のローラとを回転駆動するモータ等のドラム駆動部５５と、現像時に現像ローラ２６にバイアスを印加するバイアス電源５６と、各駆動部５１、５５及びバイアス電源５６の駆動を制御する制御部５２と、制御部５２に接続される時計５４と、制御部５２に接続される記憶部５３、及び制御部５２に接続される枚数カウンター５７とを備える。
【００４０】
現像駆動部５１及びドラム駆動部５５が駆動し、所望の枚数の画像形成がおこなわれると、枚数カウンター５７は画像形成した用紙の枚数を計数し、記憶部５３は、制御部５２を介して、この出力枚数Ｐを保持する。所望枚数の画像形成を完了すると、現像駆動部５１及びドラム駆動部５５の駆動が停止する。とのとき、現像駆動部５１の駆動停止した第１の時刻を時計５４が計時し、記憶部５３は、制御部５２を介して、この第１の時刻を保持する。その後、装置の電源がオフになる。再び画像形成を開始する際に、電源がオンされると、制御部５２において、記憶部５３に記憶した第１の時刻と、今回の電源オンにおける第２の時刻との差（第１の時刻からの経過時間）Ｔｂを算出する。
【００４１】
出力枚数Ｐが多くなると、現像ローラ２６の回転駆動時間が長くなり、現像ローラ２６に担持されるトナーの帯電量が高くなり、一方、出力枚数Ｐが少ないと、現像ローラ２６の回転駆動時間が短くなり、現像ローラ２６に担持されるトナーの帯電量が低い。そして、第１実施形態で説明したように、経過時間Ｔｂが長くなるに従い、トナー帯電量が低下していく。そこで、先回の出力枚数Ｐが少ないときには、現像エージング時間を長くし、先回の出力枚数Ｐが多いときには、トナー帯電量が高くなっているので、現像エージング時間を短くなるように、現像エージング時間Ｔｃを決定する。
【００４２】
そこで、例えば表２に示す経過時間Ｔｂと先回の出力枚数Ｐと現像エージング時間Ｔｃとの関係を定める。
【表２】
2010128190.tif 000004
【００４３】
このテーブルでは、経過時間Ｔｂが長くなると、現像エージング時間Ｔｃを長くし、また経過時間Ｔｂが同じであっても、先回の出力枚数Ｐが少ない場合には、現像エージング時間Ｔｃが長くなるようように定めている。さらに、経過時間Ｔｂが所定時間（１２時間）以上になると、先回の出力枚数Ｐに関わらずに、現像エージング時間Ｔｃが一定になるように定めている。このようにして、先回の画像形成した状態や先回の画像形成からの経過時間に関わらず、低下したトナーの帯電量を回復させている。
【００４４】
このテーブルを、予め記憶部５３に記憶させおく。画像形成に先立って、制御部５２は、記憶部５３に記憶した先回の出力枚数Ｐと経過時間Ｔｂから、このテーブルに基づいて、現像ローラ２６を現像エージング時間Ｔｃだけ回転駆動させる。これによって、現像エージングが行われる。
【００４５】
上記第２実施形態によれば、画像形成装置１は、トナーを帯電させ、該トナーを用いて感光体ドラム１１に形成された潜像を現像する現像器１４と、最後に画像を形成した第１の時刻を記憶する記憶部５３と、この第１の時刻からの経過時間Ｔｂと、最後に画像形成したときの出力枚数Ｐ（画像形成した状態）とに基づいて、現像処理に先だって、現像エージング時間（帯電処理する時間）Ｔｃを変える制御部５２とを備える。
【００４６】
この構成によると、最後に画像形成したときの出力枚数Ｐに応じて、第１の時刻におけるトナー帯電量が異なるので、第１の時刻からの経過時間Ｔｂが同じであっても、トナー帯電量が低下する度合いは異なる。この低下の度合いに基づいて、現像処理に先だって、現像エージング時間（帯電処理する時間）Ｔｃを補正することによって、最後に画像形成したときの出力枚数Ｐ（画像形成した状態）と経過時間Ｔｂに関わらず、常に適切なトナー帯電量になるので、トナーの劣化を防止することができ、また現像器１４の無駄な駆動を無くすことができる。
【産業上の利用可能性】
【００４７】
本発明は、電子写真方式を利用した複写機、プリンタ、ファクシミリ、それらの複合機等の画像形成装置に利用することができる。
【図面の簡単な説明】
【００４８】
【図１】は、本発明の第１実施形態に係る画像形成装置の全体構成を示す概略平面図である。
【図２】は、本発明の第１実施形態に係る画像形成装置における現像器と、現像器に関係する構成部材を概略的に示す図である。
【図３】は、本発明の第１実施形態に係る画像形成装置おけるウオームアップのタイムチャートである。
【図４】は、本発明の第１実施形態に係る画像形成装置おける画像形成のタイムチャートである。
【図５】は、本発明の第１実施形態に係る画像形成装置おける第１の時刻からの経過時間とトナー帯電量を示す図である。
【図６】は、本発明の第１実施形態に係る画像形成装置おける帯電処理時間とトナー帯電量を示す図である。
【図７】は、本発明の第２実施形態に係る画像形成装置における現像器と、現像器に関係する構成部材を概略的に示す図である。
【符号の説明】
【００４９】
１    画像形成装置
１１    感光体ドラム
１４    現像器
２６    現像ローラ
５１    現像駆動部
５２    制御部
５３    記憶部
５４    時計
５７    枚数カウンター
【図１】
2010128190.tif 000005
【図２】
2010128190.tif 000006
【図３】
2010128190.tif 000007
【図４】
2010128190.tif 000008
【図５】
2010128190.tif 000009
【図６】
2010128190.tif 000010
【図７】
2010128190.tif 000011